(57)【要約】【課題】キートップの下面側に配置した印刷層の表示を鮮明にキートップの表面側に表示できてその装飾性を向上させることができる表示付キートップを提供する。【解決手段】透光性を有するキートップ８０と、キートップ８０の下面側に設置されると共にキートップ８０に対向する位置に表示用印刷層６３を設けてなる表示部形成フイルム６０とを具備する。キートップ８０下面の外周近傍部分を接着層９０によって表示部形成フイルム６０の表示用印刷層６３の周囲の部分に接着することによって、表示用印刷層６３を接着層９０を介在しないでキートップ８０の下面側に配置する。【選択図】図１
2009245757.tif 000002
【特許請求の範囲】
【請求項１】
透光性を有するキートップと、
前記キートップの下面側に設置されると共にキートップに対向する位置に表示部を設けてなる表示部形成部材とを具備し、
前記キートップ下面の外周近傍部分を接着層によって前記表示部形成部材の表示部の周囲の部分に接着することによって、前記表示部を接着層を介在しないでキートップの下面側に配置したことを特徴とする表示付キートップ。
【請求項２】
請求項１に記載の表示付キートップにおいて、
前記キートップは、透光性を有するキートップ本体の外周につば部を設けた構造であり、前記接着層はこのつば部の下面に設けられていることを特徴とする表示付キートップ。
【請求項３】
請求項１に記載の表示付キートップにおいて、
前記キートップ下面の外周近傍部分に印刷層を形成すると共に、この印刷層の下面に前記接着層を設けたことを特徴とする表示付キートップ。
【請求項４】
請求項１又は３に記載の表示付キートップにおいて、
前記キートップは透光性を有する合成樹脂フイルムからなるフイルム板にて構成されていることを特徴とする表示付キートップ。
【請求項５】
透光性を有するキートップと、
前記キートップの下面側に設置されると共に前記キートップ下面の外周近傍部分に接着層によって接着されることで中央に空隙部を設けてなるキートップ取付部材と、
表示部を設けてなる表示部形成部材とを具備し、
前記空隙部に前記表示部形成部材を挿入することで、接着層を介在しないで前記表示部をキートップの下面側に配置したことを特徴とする表示付キートップ。
【請求項６】
透光性を有するキートップと、
前記キートップの下面側に設置されると共に前記キートップ下面の外周近傍部分に接着層によって接着されさらに接着層の内側に開口部を設けてなるキートップ取付部材と、
表示部を設けてなる表示部形成部材とを具備し、
前記キートップ取付部材の下面側に前記表示部形成部材を設置することで表示部形成部材の表示部を前記キートップ取付部材の開口部に位置させ、これによって接着層を介在しないで前記表示部をキートップの下面側に配置したことを特徴とする表示付キートップ。
【発明の詳細な説明】
【技術分野】
【０００１】
本発明は、装飾性に優れた押釦スイッチ用の表示付キートップに関するものである。
【背景技術】
【０００２】
従来、例えば携帯電話などの携帯機器操作用のキートップは所望の印刷を行なうことで装飾されており、同時にこのキートップをその下面側から照光することで明るく照らし出せるように構成している。
【０００３】
この種のキートップとして、例えば透明な合成樹脂を成形してなるキートップ本体の下面を平面状に形成してこの平面に所望の印刷を行なうことで、キートップをその下面側から照光した際にその印刷層がキートップの表面に浮き出て見えるように構成のものがある。
【０００４】
しかしながら成形品であるキートップの下面に直接印刷層を印刷することは、合成樹脂フイルム上に印刷層を印刷するような場合に比べて容易ではなく、また多色印刷等の精緻な印刷はできない。
【０００５】
このため例えば特許文献１に示すように透光性のフイルム（２０）の表面に印刷層（２３）を形成し、その上に合成樹脂製で透光性のキートップ（６０）を透光性の接着材層（５０）によって貼り付けてなる押釦用キートップ（１０）も提案されている。この押釦用キートップ（１０）によれば、フイルム（２０）に印刷層（２３）を形成するので印刷が容易であるばかりか精緻な印刷も容易に行なえ、押釦用キートップ（１０）の装飾には好適である。
【０００６】
しかしながらこの押釦用キートップ（１０）においては、印刷層（２３）の上に透明な接着材層（５０）が積層されるが、この接着材層（５０）には白濁などが生じる恐れがあり、またこの接着材層（５０）には光の乱反射が生じる恐れがあり、これらのことからキートップ（６０）の下面からその表面側に照光されて表示される印刷層（２３）に濁りが生じて見えたり、光の減衰によって暗く見えたり、歪んで見えたりしてしまう恐れがあった。
【特許文献１】特開２００１−１３５１８１号公報
【発明の開示】
【発明が解決しようとする課題】
【０００７】
本発明は上述の点に鑑みてなされたものでありその目的は、キートップの下面側に配置した印刷層（表示部）の表示を鮮明にキートップの表面側に表示できてその装飾性を向上させることができる表示付キートップを提供することにある。
【課題を解決するための手段】
【０００８】
本願請求項１に記載の発明は、透光性を有するキートップと、前記キートップの下面側に設置されると共にキートップに対向する位置に表示部を設けてなる表示部形成部材とを具備し、前記キートップ下面の外周近傍部分を接着層によって前記表示部形成部材の表示部の周囲の部分に接着することによって、前記表示部を接着層を介在しないでキートップの下面側に配置したことを特徴とする表示付キートップにある。
【０００９】
本願請求項２に記載の発明は、請求項１に記載の表示付キートップにおいて、前記キートップは、透光性を有するキートップ本体の外周につば部を設けた構造であり、前記接着層はこのつば部の下面に設けられていることを特徴とする表示付キートップにある。
【００１０】
本願請求項３に記載の発明は、請求項１に記載の表示付キートップにおいて、前記キートップ下面の外周近傍部分に印刷層を形成すると共に、この印刷層の下面に前記接着層を設けたことを特徴とする表示付キートップにある。
【００１１】
本願請求項４に記載の発明は、請求項１又は３に記載の表示付キートップにおいて、前記キートップは透光性を有する合成樹脂フイルムからなるフイルム板にて構成されていることを特徴とする表示付キートップにある。
【００１２】
本願請求項５に記載の発明は、透光性を有するキートップと、前記キートップの下面側に設置されると共に前記キートップ下面の外周近傍部分に接着層によって接着されることで中央に空隙部を設けてなるキートップ取付部材と、表示部を設けてなる表示部形成部材とを具備し、前記空隙部に前記表示部形成部材を挿入することで、接着層を介在しないで前記表示部をキートップの下面側に配置したことを特徴とする表示付キートップにある。
【００１３】
本願請求項６に記載の発明は、透光性を有するキートップと、前記キートップの下面側に設置されると共に前記キートップ下面の外周近傍部分に接着層によって接着されさらに接着層の内側に開口部を設けてなるキートップ取付部材と、表示部を設けてなる表示部形成部材とを具備し、前記キートップ取付部材の下面側に前記表示部形成部材を設置することで表示部形成部材の表示部を前記キートップ取付部材の開口部に位置させ、これによって接着層を介在しないで前記表示部をキートップの下面側に配置したことを特徴とする表示付キートップにある。
【発明の効果】
【００１４】
請求項１に記載の発明によれば、表示部形成部材に設けた表示部を接着層を介在しないでキートップの下面側に配置できるので、接着層の白濁や接着層による光の乱反射などが表示部の表示に全く影響を与えることがなく、キートップの下面側に配置した表示部の表示を鮮明にキートップの表面側に表示できてその装飾性を向上させることができる。
【００１５】
請求項２に記載の発明によれば、外装ケースに設けた開口からキートップを露出させた際にそのつば部は外装ケースの下面の開口の周囲に隠れるので、接着層を確実且つ容易にキートップの表面側から隠すことができる。
【００１６】
請求項３に記載の発明によれば、接着層を印刷層によって覆うので、接着層をキートップの表面側から容易に隠すことができる。
【００１７】
請求項４に記載の発明によれば、本発明にかかる表示付キートップの薄型化が容易に図れ、さらに新しい操作感触・デザインを提供できる。
【００１８】
請求項５に記載の発明によれば、表示部形成部材に設けた表示部を接着層を介在しないでキートップの下面側に配置できるので、接着層の白濁や接着層による光の乱反射などが表示部の表示に全く影響を与えることがなく、キートップの下面側に配置した表示部の表示を鮮明にキートップの表面側に表示できてその装飾性を向上させることができる。
また表示部を設けた表示部形成部材を空隙部に挿入することで表示付キートップを構成するので、予め製造しておいたキートップ及びキートップ取付部材に対して異なるデザインの表示部を有する表示部形成部材を容易に変更して取り付けることが可能になる。特に表示部のみが異なる多品種生産の場合に好適である。
【００１９】
請求項６に記載の発明によれば、表示部形成部材に設けた表示部を接着層を介在しないでキートップの下面側に配置できるので、接着層の白濁や接着層による光の乱反射などが表示部の表示に全く影響を与えることがなく、キートップの下面側に配置した表示部の表示を鮮明にキートップの表面側に表示できてその装飾性を向上させることができる。
【発明を実施するための最良の形態】
【００２０】
以下、本発明の実施形態を図面を参照して詳細に説明する。なお以下の各例の説明において、「上」とはキートップによって押圧されるスイッチからキートップ側を向く方向をいい、「下」とはその逆方向をいうものとする。
【００２１】
〔第１実施形態〕
図１は本発明の第１実施形態にかかる表示付キートップ５０−１を用いて構成されるスイッチ構造１−１の概略側断面図である。同図に示すようにスイッチ構造１−１は、スイッチ板１０上に設置したゴム状弾性板３０の上に、表示付キートップ５０−１を設置して構成されている。表示付キートップ５０−１は、表示部形成部材（以下「表示部形成フイルム」という）６０上にキートップ８０を取り付けて構成されている。以下各構成部品について説明する。なお実際は複数のキートップ８０が一枚の表示部形成フイルム６０及びゴム状弾性板３０上に配置されているが、図１ではその内の１つのキートップ８０の部分のみを示している。
【００２２】
スイッチ板１０は、回路基板１１上にスイッチ１３及び発光素子２１を設置して構成されている。回路基板１１はこの例では硬質絶縁性の基板表面に所望の回路パターン（図示せず）を形成し、スイッチ１３の部分には所望の一対のスイッチパターンを形成して構成されている。そしてこのスイッチパターン上に弾性板を略ドーム形状に湾曲してなる反転板１５を取り付けることで、反転板１５の周囲の辺に一方のスイッチパターンを接触し、もう一方のスイッチパターンを反転板１５の下面中央に所定の隙間を介して配置し、これによってスイッチ１３を構成している。つまり反転板１５の中央をその上部から押圧すると反転板１５がクリック感覚を生じながら反転してその中央下面が前記もう一方のスイッチパターンに当接することで一対のスイッチパターン間がオンする。また発光素子２１は例えば発光ダイオードによって構成され、回路基板１１上に設けた回路パターンに接続されることで発光用の電力が供給される。
【００２３】
上記例では回路基板１１として硬質基板（ガラスエポキシ積層板、フェノール積層板、ガラス板、セラミック板等）を用いたが、可撓性を有する合成樹脂フイルム（例えばポリエチレンテレフタレート（ＰＥＴ）フイルムなど）からなるフレキシブル回路基板を用いても良い。その場合はフレキシブル回路基板の下面側に硬質の載置板などを設置して補強する。
【００２４】
ゴム状弾性板３０は透光性及びゴム弾性を有するゴム材または合成樹脂材を板状に成形して構成されており、この例ではシリコンゴムを用いている。ゴム状弾性板３０下面の前記反転板１５の中央に対向する位置には、下方向に突出する押圧部３１が設けられている。このゴム状弾性板３０の材質は、前記シリコンゴムに限られず、透光性及びゴム状弾性を有する他の各種材質であっても良く、例えばイソプレンゴム、エチレンプロピレンゴム、ブタジエンゴム、クロロプレンゴム、天然ゴム等の熱硬化性エラストマーや、スチレン系、エステル系、ウレタン系、オレフィン系、アミド系、ブタジエン系、エチレン−酢酸ビニル系、フッ素ゴム系、イソプレン系、塩素化ポリエチレン系等の熱可塑性エラストマー等を用いることができる。これらのゴム状弾性部材の内、シリコンゴムや、スチレン系熱可塑性エラストマー、エステル系熱可塑性エラストマーは、反発弾性が優れ、高い耐久性を有するので好ましい材料である。
【００２５】
表示部形成フイルム６０は、透光性及び可撓性を有する合成樹脂フイルム６１を具備し、この合成樹脂フイルム６１の所定位置の上面に表示部（以下「表示用印刷層」という）６３を設けて構成されている。表示用印刷層６３は合成樹脂フイルム６１の表面に印刷（オフセット印刷法、グラビア印刷法、スクリーン印刷法等）や蒸着や塗装等の各種の印刷方法によって形成されており、一層でも複数層でもよい。合成樹脂フイルム６１の材質はこの例ではＰＥＴフイルムを用いているが、透光性を有する熱可塑性または熱硬化性または光硬化性の合成樹脂フイルムであれば他の合成樹脂フイルムでも良く、例えばポリフェニレンスルフイド（ＰＰＳ）フイルム、ポリイミド（ＰＩ）フィルム、ポリエチレンナフタレート（ＰＥＮ）フイルム、ポリエーテルイミド（ＰＥＩ）フイルム、ポリエーテルエーテルケトン（ＰＥＥＫ）フイルム、ポリエーテルケトン（ＰＥＫ）フイルム、ポリカーボネート（ＰＣ）フイルム、ポリブチレンナフタレート（ＰＢＮ）フイルム、ポリブチレンテレフタレート（ＰＢＴ）フイルム等であってもよい。表示用印刷層６３の材質は、例えばポリビニル系樹脂、ポリアミド系樹脂、ポリエステル系樹脂、アクリル系樹脂、ポリウレタン系樹脂、ポリビニルアセタール系樹脂、ポリエステルウレタン系樹脂、セルロースエステル系樹脂、アルキド樹脂、熱可塑性エラストマー等の樹脂等で、好ましくは柔軟な皮膜を作ることができる樹脂をバインダーとし、適切な色の顔料又は染料を着色剤として含有する着色インキを用いて構成される。
【００２６】
キートップ８０は、透光性を有する合成樹脂フイルム製のフイルム板８５の上面に直接（接着材を介在しないで）、柱状で透光性を有する合成樹脂成形品からなるキートップ本体８１の下面を取り付けて構成されている。キートップ８０の外形形状は例えば矩形状でも円形でも小判形状などでもよい。そしてフイルム板８５のキートップ本体８１の下面から水平方向外方に向けて突出している部分を薄板状のつば部８３としている。キートップ８０のつば部８３を含む下面全体は同一平面となっている。この例ではキートップ本体８１の材質として透光性を有するＰＣ樹脂を用い、またフイルム板８５の材質としても透光性を有するＰＣ樹脂フイルムを用いている。キートップ８０はキートップ本体８１を成形する金型のキャビティー内に予めフイルム板８５を収納しておき、金型のキャビティー内にキートップ本体８１となる高温・高圧溶融樹脂を圧入する際の熱と圧力とによって直接キートップ本体８１とフイルム板８５とを一体に接着するものである。このとき両者の材質が同一の材質（ＰＣ樹脂）によって構成されているので、両者は接着材を介在しないでも容易に一体に強固に接着される。しかも接着材層を介在せず且つ同一材質なのでこのフイルム板８５とキートップ本体８１を通過する光は屈折や減衰せずにそのまま通過することとなる。なお接着材を用いないで一体に取り付けられるのであれば、キートップ本体８１の材質とフイルム板８５の材質はＰＣ樹脂以外の各種樹脂の組み合わせ（同一材質同士または異なる材質同士であってもよい）を用いても良い。
【００２７】
そして表示付キートップ５０−１は、表示部形成フイルム６０の上面にキートップ８０を接着層９０によって接着することで組み立てられる。このとき表示部形成フイルム６０上面のキートップ８０に対向する位置（この例では中央位置）に表示用印刷層６３が配置されている。また接着層９０はキートップ８０下面の外周近傍部分（この例ではつば部８３下面の部分）に形成されており、言い換えれば接着層９０は表示部形成フイルム６０上面の表示用印刷層６３の周囲を囲む位置に形成されている。このように表示付キートップ５０−１を構成すれば、表示用印刷層６３を接着層９０を介在しないでキートップ８０の表面に表示させることができる。
【００２８】
そして以上のようにして組み立てられた表示付キートップ５０−１の下面側に、接着層１００によってゴム状弾性板３０を取り付ける。接着層１００は前記接着層９０と同一位置、即ち表示用印刷層６３の周囲を囲む位置に形成されている。そしてゴム状弾性板３０の下面側にスイッチ板１０を配置し、その際ゴム状弾性板３０の押圧部３１の真下に反転板１５の上面中央を配置すれば、スイッチ構造１−１が完成する。なお上記表示付キートップ５０−１及びスイッチ構造１−１の組立手順はその一例であり、他の各種異なる組立手順を用いて組み立てても良いことはいうまでもない（以下の各例においても同様）。
【００２９】
そしてこのスイッチ構造１−１においてキートップ８０（キートップ本体８１）の上面を指などによって押圧すれば、キートップ８０と共に表示部形成フイルム６０とゴム状弾性板３０が下降し、押圧部３１が反転板１５を押圧してスイッチ１３がオンする。前記キートップ８０への押圧を解除すれば、反転板１５やゴム状弾性板３０や表示部形成フイルム６０の元の位置への自動復帰力によってキートップ８０は元の位置に自動復帰し、スイッチ１３はオフする。なお接着層９０，１００によるキートップ８０と表示部形成フイルム６０間の隙間や表示部形成フイルム６０とゴム状弾性板３０間の隙間は実際は０．０２ｍｍ程度なのでほとんど隙間がなく、キートップ８０と表示部形成フイルム６０とゴム状弾性板３０は略同時に上下動する。
【００３０】
一方発光素子２１を発光すると、その光は透光性を有するゴム状弾性板３０及び表示部形成フイルム６０及びキートップ８０を通してキートップ８０の表面を明るく照らし出す。このとき表示用印刷層６３はキートップ８０の表面に明るく表示されるが、この表示付キートップ５０−１においては、表示用印刷層６３を接着層９０を介在しないでキートップ８０の下面側に配置できるので、接着層９０の白濁や接着層９０による光の乱反射などが表示用印刷層６３の表示に全く影響を与えることがなく、キートップ８０の下面側に配置した表示用印刷層６３の表示を鮮明にキートップ８０の表面側に表示できてその装飾性を向上させることができる。
【００３１】
またこの表示付キートップ５０−１は、図１に点線で示すように、キートップ８０の上部に外装ケース１１０（通常不透光性となっている）が設置され、外装ケース１１０に設けた開口１１１からキートップ８０（そのキートップ本体８１）を露出させるが、つば部８３は外装ケース１１０の下面の開口１１１の周囲に位置して隠れる。従って接着層９０（さらに接着層１００）を確実且つ容易にキートップ８０の表面側から隠すことができ、この点からもつば部８３の部分に接着層９０を設けることは装飾性を向上する上で好適である。
【００３２】
また上記表示付キートップ５０−１においては、表示用印刷層６３を合成樹脂フイルム６１の上面側に設けたが、表示用印刷層６３は合成樹脂フイルム６１の下面側に設けても良いし、合成樹脂フイルム６１の上下面に設けても良い。また場合によっては表示部形成フイルム６０は硬質の材料で構成しても良い。
【００３３】
〔第２実施形態〕
図２は本発明の第２実施形態にかかる表示付キートップ５０−２を用いて構成されるスイッチ構造１−２の概略側断面図である。この表示付キートップ５０−２及びスイッチ構造１−２において、前記図１に示す表示付キートップ５０−１及びスイッチ構造１−１と同一又は相当部分には同一符号を付す（但し各符号には「−２」を付記する）。なお以下で説明する事項以外の事項については、前記図１に示す表示付キートップ５０−１及びスイッチ構造１−１と同じである。
【００３４】
即ちこの表示付キートップ５０−２及びスイッチ構造１−２において前記図１に示す表示付キートップ５０−１及びスイッチ構造１−１と相違する点は、キートップ８０−２の構造のみである。即ちキートップ８０−２ではフイルム板８５を用いず、つば部８３−２を含めたキートップ８０−２全体をキートップ本体８１−２を構成する合成樹脂の一体成形品によって一体に成形している。つまり柱状で透光性を有する合成樹脂成形品からなるキートップ本体８１−２の下部外周からこれと一体の合成樹脂成形品からなるつば部８３−２を突出して構成されている。キートップ８０−２のつば部８３−２を含む下面全体は同一平面となっている。
【００３５】
この例ではキートップ８０−２の材質としてＰＣ樹脂を用いているが、透光性を有する合成樹脂であれば他の各種合成樹脂であっても良く、例えばＡＢＳ樹脂やＰＥＴ樹脂やポリメチルメタアクリレート樹脂などであっても良い。
【００３６】
そしてこの表示付キートップ５０−２においても、表示部形成フイルム６０−２の上面にキートップ８０−２を接着する接着層９０−２は、キートップ８０−２下面の外周近傍部分（この例ではつば部８３−２下面の部分）に形成されており、言い換えれば接着層９０−２は表示部形成フイルム６０−２上面の表示用印刷層６３−２の周囲を囲む位置に形成されている。
【００３７】
このようにキートップ８０−２を構成しても、前記表示付キートップ５０−１及びスイッチ構造１−１と同様の作用・効果を生じる。
【００３８】
〔第３実施形態〕
図３は本発明の第３実施形態にかかる表示付キートップ５０−３を用いて構成されるスイッチ構造１−３の概略側断面図である。この表示付キートップ５０−３及びスイッチ構造１−３において、前記図１に示す表示付キートップ５０−１及びスイッチ構造１−１と同一又は相当部分には同一符号を付す（但し各符号には「−３」を付記する）。なお以下で説明する事項以外の事項については、前記図１に示す表示付キートップ５０−１及びスイッチ構造１−１と同じである。
【００３９】
即ちこの表示付キートップ５０−３及びスイッチ構造１−３において前記図１に示す表示付キートップ５０−１及びスイッチ構造１−１と相違する点は、図１に示す表示部形成フイルム６０とゴム状弾性板３０とスイッチ板１０とを設置する代わりに、キートップ８０−３を構成するフイルム板８５−３の下面に、接着層９０−３を介して表示機能付タッチパネル１３０−３を設置した点である。
【００４０】
一般的に表示機能付タッチパネル１３０−３とは、平板状の透明な樹脂フイルムまたはガラスからなる上部及び下部シートに上部電極及び下部電極を配置して、上部シートを押圧して電気または磁気信号を発生させて下部に配置された液晶などからなる表示素子を動作させ、所望の表示を取り出す装置のことであり、内部に文字や記号や模様などからなる表示部１３１−３を有している。
【００４１】
つまりこのスイッチ構造１−３においては、表示付キートップ５０−３を構成する表示部形成部材（キートップ８０−３の下面側に設置されると共にキートップ８０−３に対向する位置に表示部１３１−３を設けてなる表示部形成部材）をスイッチを有する表示機能付タッチパネル１３０−３が兼用している。即ち表示機能付タッチパネル１３０−３は表示部形成部材でもある。
【００４２】
そしてキートップ８０−３下面の外周近傍部分（具体的にはつば部８３−３の下面）を接着層９０−３によって、表示部形成部材を兼用する表示機能付タッチパネル１３０−３の表示部１３１−３の周囲の部分に接着すれば、表示部１３１−３を接着層を介在しないでキートップ８０−３の表面に表示させてなる表示付キートップ５０−３及びスイッチ構造１−３が完成する。
【００４３】
そして以上のようにして組み立てられた表示付キートップ５０−３においてキートップ８０−３（キートップ本体８１−３）の上面を指などによって押圧して下降すれば、表示機能付タッチパネル１３０−３のスイッチがオンする。前記キートップ８０−３への押圧を解除すれば、キートップ８０−３は元の位置に自動復帰し、表示機能付タッチパネル１３０−３のスイッチはオフする。
【００４４】
一方表示機能付タッチパネル１３０−３に内蔵した（またはその下部に設置した）発光部によって表示機能付タッチパネル１３０−３を照光すれば、表示機能付タッチパネル１３０−３の表示部１３１−３はその表面側に明るく照らし出され、さらに透光性を有するキートップ８０−３を通してキートップ８０−３の表面に明るく照らし出される。このときこの表示付キートップ５０−３においては、表示部１３１−３を接着層９０−３を介在しないでキートップ８０−３の下面側に配置できるので、接着層９０−３の白濁や接着層９０−３による光の乱反射などが表示部１３１−３の表示に全く影響を与えることがなく、キートップ８０−３の下面側に配置した表示部１３１−３の表示を鮮明にキートップ８０−３の表面側に表示できてその装飾性を向上させることができる。
【００４５】
またこの表示付キートップ５０−３においても、図３に点線で示すように、キートップ８０−３の上部に外装ケース１１０−３（通常不透光性となっている）が設置され、外装ケース１１０−３に設けた開口１１１−３からキートップ８０−３（そのキートップ本体８１−３）を露出させるが、つば部８３−３は外装ケース１１０−３の下面の開口１１１−３の周囲に位置して隠れる。従って接着層９０−３を確実且つ容易にキートップ８０−３の表面側から隠すことができ、この点からもつば部８３−３の部分に接着層９０−３を設けることは装飾性を向上する上で好適である。なおキートップ８０−３として図２に示す構造のキートップ８０−２を設置しても良い。
【００４６】
〔第４実施形態〕
図４は本発明の第４実施形態にかかる表示付キートップ５０−４を用いて構成されるスイッチ構造１−４の概略側断面図である。この表示付キートップ５０−４及びスイッチ構造１−４において、前記図１に示す表示付キートップ５０−１及びスイッチ構造１−１と同一又は相当部分には同一符号を付す（但し各符号には「−４」を付記する）。なお以下で説明する事項以外の事項については、前記図１に示す表示付キートップ５０−１及びスイッチ構造１−１と同じである。
【００４７】
この表示付キートップ５０−４及びスイッチ構造１−４において前記図１に示す表示付キートップ５０−１及びスイッチ構造１−１と相違する点は、キートップ８０−４の構造と、接着層９０−４の上に印刷層９３−４を設けた点のみである。即ちキートップ８０−４は図１に示すフイルム板８５及びつば部８３を設けず、柱状で透光性を有する合成樹脂一体成形品からなるキートップ本体８１−４のみによって構成されている。このキートップ８０−４の場合、つば部がないので、表示部形成フイルム６０−４上に取り付けられる複数のキートップ８０−４間の間隔（ピッチ）を容易に狭くできる。
【００４８】
この例でのキートップ８０−４の材質としてはＰＣ樹脂を用いているが、透光性を有する合成樹脂であれば前記キートップ８０−２で示したような他の各種合成樹脂を用いても良い。そしてこの表示付キートップ５０−４においては、キートップ８０−４下面の外周近傍部分に印刷層９３−４を形成すると共に、この印刷層９３−４の下面に前記接着層９０−４を設けている。印刷層９３−４及び接着層９０−４は何れもキートップ８０−４下面の外周近傍部分に形成されており、言い換えれば印刷層９３−４及び接着層９０−４は表示部形成フイルム６０−４上面の表示用印刷層６３−４の周囲を囲む位置に形成されている。同時に印刷層９３−４は接着層９０−４がキートップ８０−４側に現れないように（または目立たないように）、所定の色彩・模様にて形成されている。
【００４９】
そして上記表示付キートップ５０−４を用いて構成されたスイッチ構造１−４においてキートップ８０−４の上面を指などによって押圧すれば、キートップ８０−４と共に表示部形成フイルム６０−４とゴム状弾性板３０−４が下降し、押圧部３１−４が反転板１５−４を押圧してスイッチ１３−４がオンする。前記キートップ８０−４への押圧を解除すればスイッチ１３−４はオフする。
【００５０】
一方発光素子２１−４を発光すると、その光は透光性を有するゴム状弾性板３０−４及び表示部形成フイルム６０−４及びキートップ８０−４を通してキートップ８０−４の表面を明るく照らし出す。このとき表示用印刷層６３−４はキートップ８０−４の表面に明るく表示されるが、この表示付キートップ５０−４においては、表示部形成フイルム６０−４に設けた表示用印刷層６３−４を接着層９０−４を介在しないでキートップ８０−４の下面側に配置できるので、接着層９０−４の白濁や接着層９０−４による光の乱反射などが表示用印刷層６３−４の表示に全く影響を与えることがなく、キートップ８０−４の下面側に配置した表示用印刷層６３−４の表示を鮮明にキートップ８０−４の表面側に表示できてその装飾性を向上させることができる。即ちこの表示付キートップ５０−４によれば、表示用印刷層６３−４を接着層９０−４を介在しないでキートップ８０−４の表面に表示させることができる。同時にキートップ８０−４周囲の接着層９０−４が印刷層９３−４によって覆われるので接着層９０−４をキートップ８０−４の表面側から容易に隠すことができ、接着層９０−４がキートップ８０−４の表面に表れることもない（または目立たない）。
【００５１】
なおキートップ８０−４として、合成樹脂一体成形品からなるキートップ本体８１−４の下面につば部を突出させないフイルム板を取り付けておいても良い。またつば部を有する前記キートップ８０，８０−２，３や下記するキートップ８０−６，７において、接着層９０，９０−２，３，６，７の上に同様にこれを覆って隠す印刷層を設けても良い。これはつば部が外装ケースによって覆われないような場合に特に有効である。
【００５２】
〔第５実施形態〕
図５は本発明の第５実施形態にかかる表示付キートップ５０−５を用いて構成されるスイッチ構造１−５の概略側断面図である。この表示付キートップ５０−５及びスイッチ構造１−５において、前記図４に示す表示付キートップ５０−４及びスイッチ構造１−４と同一又は相当部分には同一符号を付す（但し各符号には「−５」を付記する）。なお以下で説明する事項以外の事項については、前記図１に示す表示付キートップ５０−１及びスイッチ構造１−１及び前記図４に示す表示付キートップ５０−４及びスイッチ構造１−４と同じである。
【００５３】
即ちこの表示付キートップ５０−５及びスイッチ構造１−５において前記図４に示す表示付キートップ５０−４及びスイッチ構造１−４と相違する点は、図４に示す表示部形成フイルム６０−４とゴム状弾性板３０−４とスイッチ板１０−４とを設置する代わりに、キートップ８０−５の下面に印刷層９３−５及び接着層９０−５を介して表示機能付タッチパネル１３０−５を設置した点である。表示機能付タッチパネル１３０−５の構成及び動作は前記図３で示す表示機能付タッチパネル１３０−３と同じである。つまりこのスイッチ構造１−５においても、表示付キートップ５０−５を構成する表示部形成部材をスイッチを有する表示機能付タッチパネル１３０−５が兼用している。即ち表示機能付タッチパネル１３０−５は表示部形成部材でもある。
【００５４】
そしてキートップ８０−５下面の外周近傍部分を印刷層９３−５を介在した接着層９０−５によって、表示部形成部材を兼用する表示機能付タッチパネル１３０−５の表示部１３１−５の周囲の部分に接着すれば、表示部１３１−５を接着層を介在しないでキートップ８０−５の表面に表示させてなる表示付キートップ５０−５及びスイッチ構造１−５が完成する。
【００５５】
そして組み立てられたスイッチ構造１−５においてキートップ８０−５の上面を指などによって押圧して下降すれば、表示機能付タッチパネル１３０−５のスイッチがオンする。キートップ８０−５への押圧を解除すれば、表示機能付タッチパネル１３０−５のスイッチはオフする。
【００５６】
一方表示機能付タッチパネル１３０−５に内蔵した（またはその下部に設置した）発光部によって表示機能付タッチパネル１３０−５を照光すれば、表示機能付タッチパネル１３０−５の表示部１３１−５はその表面側に明るく照らし出され、さらに透光性を有するキートップ８０−５を通してキートップ８０−５の表面に明るく照らし出される。このときこの表示付キートップ５０−５においては、表示部１３１−５を接着層９０−５を介在しないでキートップ８０−５の下面側に配置できるので、接着層９０−５の白濁や接着層９０−５による光の乱反射などが表示部１３１−５の表示に全く影響を与えることがなく、キートップ８０−５の下面側に配置した表示部１３１−５の表示を鮮明にキートップ８０−５の表面側に表示できてその装飾性を向上させることができる。同時にこの表示付キートップ５０−５においてもキートップ８０−５周囲の接着層９０−５が印刷層９３−５によって覆われているので、接着層９０−５をキートップ８０−５の表面側から容易に隠すことができ、接着層９０−５がキートップ８０−５の表面に表れることもない（または目立たない）。
【００５７】
〔第６実施形態〕
図６は本発明の第６実施形態にかかる表示付キートップ５０−６を用いて構成されるスイッチ構造１−６の概略側断面図、図７はこのスイッチ構造１−６を図６の断面から９０°回転した部分での概略側断面図であって下記する空隙部１２０−６内に表示部形成フイルム６０−６を挿入する状態を示す図である。この表示付キートップ５０−６及びスイッチ構造１−６において、前記図１に示す表示付キートップ５０−１及びスイッチ構造１−１と同一又は相当部分には同一符号を付す（但し各符号には「−６」を付記する）。なお以下で説明する事項以外の事項については、前記図１に示す表示付キートップ５０−１及びスイッチ構造１−１と同じである。
【００５８】
この表示付キートップ５０−６及びスイッチ構造１−６において前記図１に示す表示付キートップ５０−１及びスイッチ構造１−１と相違する点は、キートップ８０−６下面の外周近傍部分（具体的にはつば部８３−６の下面）に設けられる接着層９０−６を、キートップ取付部材となるゴム状弾性板３０−６に接着することで接着層９０−６の中央にキートップ８０−６とゴム状弾性板３０−６によって挟まれる空隙部１２０−６を設け、この空隙部１２０−６に表示部形成フイルム６０−６を挿入することで、接着層９０−６を介在しないで表示部形成フイルム６０−６に設けた表示用印刷層６３−６をキートップ８０−６の表面に表示させた点である。ゴム状弾性板３０−６はスイッチ１３−６を押圧する押圧部３１−６を有する部材であり、同時に前述のようにキートップ取付部材であって表示付キートップ５０−６を構成する部材にもなっている。
【００５９】
即ちこの例の接着層９０−６は、キートップ本体８１−６の下部外周から張り出す略矩形状のつば部８３−６の対向する一対の辺の下面にそれぞれ略直線状に設けられ、キートップ８０−６の下面側に設置されるゴム状弾性板３０−６に接着され、これによって一対の接着層９０−６の間に略直線状であって接着層９０−６を設けていない側の一対の辺に開口を有する空隙部１２０−６を形成している。他の実施形態に用いる接着層９０，９０−２〜５，７の厚みは薄いのであるが、この接着層９０−６においては空隙部１２０−６に表示部形成フイルム６０−６が挿入できる程度にその厚みを厚くしている。接着層９０−６を厚くするには、例えば樹脂フイルムの両面に接着層を塗布したものなどを用いれば良い。
【００６０】
一方表示部形成フイルム６０−６は帯状で、その幅（挿入方向Ａに平行な両辺間の距離）が前記空隙部１２０−６内に挿入できる寸法に形成されている。表示部形成フイルム６０−６に表示用印刷層（表示部）６３−６が形成されている点は、図１の場合と同様である。
【００６１】
そして表示付キートップ５０−６は、キートップ８０−６下面の外周近傍部分に接着層９０−６によってキートップ取付部材であるゴム状弾性板３０−６を接着することで中央に空隙部１２０−６を形成し、この空隙部１２０−６に図７に挿入方向Ａで示すように表示部形成フイルム６０−６を挿入することで、接着層９０−９を介在しないで表示用印刷層６３−６をキートップ８０−６の表面に表示させることによって組み立てられる。そしてゴム状弾性板３０−６の下側にスイッチ板１０−６を設置すればスイッチ構造１−６が完成する。
【００６２】
そしてこのスイッチ構造１−６においてキートップ８０−６（キートップ本体８１−６）の上面を指などによって押圧すれば、キートップ８０−６と共に表示部形成フイルム６０−６とゴム状弾性板３０−６が下降し、押圧部３１−６が反転板１５−６を押圧してスイッチ１３−６がオンする。前記キートップ８０−６への押圧を解除すれば、反転板１５−６やゴム状弾性板３０−６の元の位置への自動復帰力によってキートップ８０−６は元の位置に自動復帰し、スイッチ１３−６はオフする。
【００６３】
一方発光素子２１−６を発光すると、その光は透光性を有するゴム状弾性板３０−６及び表示部形成フイルム６０−６及びキートップ８０−６を通してキートップ８０−６の表面を明るく照らし出す。このとき表示用印刷層６３−６はキートップ８０−６の表面に明るく表示されるが、この表示付キートップ５０−６においては、表示部形成フイルム６０−６に設けた表示用印刷層６３−６を接着層９０−６を介在しないでキートップ８０−６の表面に表示させることができるので、接着層９０−６の白濁や接着層９０−６による光の乱反射などが表示用印刷層６３−６の表示に全く影響を与えることがなく、キートップ８０−６の下面側に配置した表示用印刷層６３−６の表示を鮮明にキートップ８０−６の表面側に表示できてその装飾性を向上させることができる。
【００６４】
またこの表示付キートップ５０−６においても、図６に点線で示すように、キートップ８０−６の上部に外装ケース１１０−６（通常不透光性となっている）が設置され、外装ケース１１０−６に設けた開口１１１−６からキートップ８０−６（そのキートップ本体８１−６）を露出させるが、つば部８３−６は外装ケース１１０−６の下面の開口１１１−６の周囲に位置して隠れるので、接着層９０−６を確実且つ容易にキートップ８０−６の表面側から隠すことができる。
【００６５】
さらにこの表示付キートップ５０−６によれば、表示用印刷層６３−６を設けた表示部形成フイルム６０−６を空隙部１２０−６に挿入することで表示付キートップ５０−６を構成できるので、予め製造しておいたキートップ８０−６及びゴム状弾性板３０−６に対して異なるデザインの表示用印刷層６３−６を有する表示部形成フイルム６０−６を容易に変更して取り付けることが可能になる。特に多品種生産の場合（例えば携帯機器の操作用キートップとして用いる場合で、各キートップの形状は変わらないが、各キートップの表示が国別で異なるような場合）に好適である。
【００６６】
なおこの表示付キートップ５０−６においては、ゴム状弾性板３０−６をキートップ取付部材として用いたが、ゴム状弾性板３０−６とは別の透明な板をキートップ取付部材としてゴム状弾性板３０−６の上に設置し、この板にキートップ８０−６を接着層９０−６によって接着しても良い。
【００６７】
〔第７実施形態〕
図８は本発明の第７実施形態にかかる表示付キートップ５０−７を用いて構成されるスイッチ構造１−７の概略側断面図である。この表示付キートップ５０−７及びスイッチ構造１−７において、前記図１に示す表示付キートップ５０−１及びスイッチ構造１−１と同一又は相当部分には同一符号を付す（但し各符号には「−７」を付記する）。なお以下で説明する事項以外の事項については、前記図１に示す表示付キートップ５０−１及びスイッチ構造１−１と同じである。
【００６８】
この表示付キートップ５０−７及びスイッチ構造１−７において前記図１に示す表示付キートップ５０−１及びスイッチ構造１−１と相違する点は、図１で示すゴム状弾性板３０を用いず、キートップ８０−７下面の外周近傍部分（具体的にはつば部８３−７の下面）に設けられる接着層９０−７を、中央に開口部１４１−７を設けてなるキートップ取付部材（以下「キートップ取付板」という）１４０−７の上面に接着し、キートップ取付板１４０−７の下側に表示用印刷層６３−７を設けた表示部形成フイルム６０−７を設置し、その下側にスイッチ１３−７を有するスイッチ板１０−７を設置した点である。キートップ取付板１４０−７と表示部形成フイルム６０−７間は接着してもしなくても良い。
【００６９】
キートップ取付板１４０−７は可撓性を有するゴム状弾性板であり、この例ではウレタン樹脂製の板を用いている。開口部１４１−７は前記接着層９０−７の内側に設けられている。そして表示部形成フイルム６０−７の表示用印刷層６３−７をキートップ取付板１４０−７の開口部１４１−７に位置させ、これによって接着層９０−７を介在しないで表示用印刷層６３−７をキートップ８０−７の下面側に配置している。なお図８に示す１７−７は反転板１５−７の上面中央に貼り付けられて耐久性良く且つ良好なクリック感覚が生じるように反転板１５−７を反転させるために取り付けられる可撓性の紙や合成樹脂フイルムからなる押圧補助シートである。
【００７０】
そしてこのスイッチ構造１−７においてキートップ８０−７（キートップ本体８１−７）の上面を指などによって押圧すれば、キートップ８０−７と共に表示部形成フイルム６０−７が下降し、反転板１５−７が反転してスイッチ１３−７がオンする。前記キートップ８０−７への押圧を解除すれば、反転板１５−７や表示部形成フイルム６０−７の元の位置への自動復帰力によってキートップ８０−７は元の位置に自動復帰し、スイッチ１３−７はオフする。
【００７１】
一方発光素子２１−７を発光すると、その光は透光性を有する表示部形成フイルム６０−７及びキートップ８０−７を通してキートップ８０−７の表面を明るく照らし出す。このとき表示用印刷層６３−７はキートップ８０−７の表面に明るく表示されるが、この表示付キートップ５０−７においては、表示部形成フイルム６０−７に設けた表示用印刷層６３−７を接着層９０−７を介在しないでキートップ８０−７の表面に表示させることができるので、接着層９０−７の白濁や接着層９０−７による光の乱反射などが表示用印刷層６３−７の表示に全く影響を与えることがなく、キートップ８０−７の下面側に配置した表示用印刷層６３−７の表示を鮮明にキートップ８０−７の表面側に表示できてその装飾性を向上させることができる。
【００７２】
またこの表示付キートップ５０−７も、図８に点線で示すように、キートップ８０−７の上部に外装ケース１１０−７（通常不透光性となっている）が設置され、外装ケース１１０−７に設けた開口１１１−７からキートップ８０−７（そのキートップ本体８１−７）を露出させるが、つば部８３−７は外装ケース１１０−７の下面の開口１１１−７の周囲に位置して隠れる。従って接着層９０−７を確実且つ容易にキートップ８０−７の表面側から隠すことができ、この点からもつば部８３−７の部分に接着層９０−７を設けることは装飾性を向上する上で好適である。
【００７３】
なおこのスイッチ構造１−７において、図１に示すゴム状弾性板３０を表示部形成フイルム６０−７の下側（スイッチ板１０−７上）に設置しても良い。また表示部形成フイルム６０−７及びスイッチ板１０−７を省略してその代りに表示機能付タッチパネルを設置しても良い。またキートップ８０−７として図２に示す構造のキートップ８０−２や図４に示す構造のキートップ８０−４などを設置しても良い。
【００７４】
〔第８実施形態〕
図９は本発明の第８実施形態にかかる表示付キートップ５０−８を用いて構成されるスイッチ構造１−８の概略側断面図である。この表示付キートップ５０−８及びスイッチ構造１−８において、前記図３に示す表示付キートップ５０−３及びスイッチ構造１−３と同一又は相当部分には同一符号を付す（但し各符号には「−８」を付記する）。なお以下で説明する事項以外の事項については、前記図３に示す表示付キートップ５０−３及びスイッチ構造１−３と同じである。
【００７５】
即ちこの表示付キートップ５０−８及びスイッチ構造１−８において前記図３に示す表示付キートップ５０−３及びスイッチ構造１−３と相違する点は、図３に示すキートップ８０−３を構成するキートップ本体８１−３とフイルム板８５−３の内のキートップ本体８１−３を省略して、フイルム板８５−８だけでキートップ８０−８を構成した点である。
【００７６】
そしてこのスイッチ構造１−８においても、表示付キートップ５０−８を構成する表示部形成部材（キートップ８０−８の下面側に設置されると共にキートップ８０−８に対向する位置に表示部１３１−８を設けてなる表示部形成部材）をスイッチを有する表示機能付タッチパネル１３０−８が兼用している。即ち表示機能付タッチパネル１３０−８は表示部形成部材でもある。
【００７７】
そしてキートップ８０−８下面の外周近傍部分を接着層９０−８によって、表示部形成部材を兼用する表示機能付タッチパネル１３０−８の表示部１３１−８の周囲の部分に接着すれば、表示部１３１−８を接着層を介在しないでキートップ８０−８の表面に表示させてなる表示付キートップ５０−８及びスイッチ構造１−８が完成する。
【００７８】
そして以上のようにして組み立てられた表示付キートップ５０−８においてキートップ８０−８（フイルム板８５−８）の上面を指などによって押圧して下降すれば、表示機能付タッチパネル１３０−８のスイッチがオンする。前記キートップ８０−８への押圧を解除すれば、キートップ８０−８は元の位置に自動復帰し、表示機能付タッチパネル１３０−８のスイッチはオフする。具体的には例えば所定のキートップ８０−８に触れることによりその箇所の表示機能付タッチパネル１３０−８の表示が変化したり、機器の所定の動作が行われたりする。このスイッチ構造１−８の場合、外装ケース１１０−８上面よりもキートップ８０−８上面の方を低くして押圧する部分を凹部とし、これによって各キートップ８０−８の位置を凹部に指が入り込むことで容易に確認できるようにしている。
【００７９】
一方表示機能付タッチパネル１３０−８に内蔵した（またはその下部に設置した）発光部によって表示機能付タッチパネル１３０−８を照光すれば、表示機能付タッチパネル１３０−８の表示部１３１−８はその表面側に明るく照らし出され、さらに透光性を有するキートップ８０−８を通してキートップ８０−８の表面に明るく照らし出される。このときこの表示付キートップ５０−８においては、表示部１３１−８を接着層９０−８を介在しないでキートップ８０−８の下面側に配置できるので、接着層９０−８の白濁や接着層９０−８による光の乱反射などが表示部１３１−８の表示に全く影響を与えることがなく、キートップ８０−８の下面側に配置した表示部１３１−８の表示を鮮明にキートップ８０−８の表面側に表示できてその装飾性を向上させることができる。
【００８０】
またこの表示付キートップ５０−８においても、図９に点線で示すように、キートップ８０−８の上部に外装ケース１１０−８（通常不透光性となっている）が設置され、外装ケース１１０−８に設けた開口１１１−８からキートップ８０−８を露出させるが、接着層９０−８を設けた部分を外装ケース１１０−８の下面の開口１１１−８の周囲に位置させて隠すことで、接着層９０−８を確実且つ容易にキートップ８０−８の表面側から隠すことができる。
【００８１】
〔第９実施形態〕
図１０は本発明の第９実施形態にかかる表示付キートップ５０−９を用いて構成されるスイッチ構造１−９の概略側断面図である。この表示付キートップ５０−９及びスイッチ構造１−９において、前記図９に示す表示付キートップ５０−８及びスイッチ構造１−８と同一又は相当部分には同一符号を付す（但し各符号には「−９」を付記する）。なお以下で説明する事項以外の事項については、前記図９に示す表示付キートップ５０−８及びスイッチ構造１−８と同じである。
【００８２】
即ちこの表示付キートップ５０−９及びスイッチ構造１−９において前記図９に示す表示付キートップ５０−８及びスイッチ構造１−８と相違する点は、接着層９０−９の上に印刷層９３−９を設けた点である。またこのスイッチ構造１−９には外装ケースを設置しない。印刷層９３−９は前記図５に示す印刷層９３−５と同一のものである。即ちこの表示付きキートップ５０−９においては、キートップ８０−９下面の外周近傍部分に印刷層９３−９を形成すると共に、印刷層９３−９の下面に接着層９０−９を設けている。印刷層９３−９は接着層９０−９がキートップ８０−９側に現れないように（または目立たないように）、所定の色彩・模様にて形成されている。
【００８３】
そしてこのスイッチ構造１−９においても、表示付キートップ５０−９を構成する表示部形成部材（キートップ８０−９の下面側に設置されると共にキートップ８０−９に対向する位置に表示部１３１−９を設けてなる表示部形成部材）をスイッチを有する表示機能付タッチパネル１３０−９が兼用している。即ち表示機能付タッチパネル１３０−９は表示部形成部材でもある。
【００８４】
そしてキートップ８０−９下面の外周近傍部分を接着層９０−９によって、表示部形成部材を兼用する表示機能付タッチパネル１３０−９の表示部１３１−９の周囲の部分に接着すれば、表示部１３１−９を接着層を介在しないでキートップ８０−９の表面に表示させてなる表示付キートップ５０−９及びスイッチ構造１−９が完成する。
【００８５】
そして以上のようにして組み立てられた表示付キートップ５０−９においてキートップ８０−９（フイルム板８５−９）の上面を指などによって押圧して下降すれば、表示機能付タッチパネル１３０−９のスイッチがオンする。前記キートップ８０−９への押圧を解除すれば、キートップ８０−９は元の位置に自動復帰し、表示機能付タッチパネル１３０−９のスイッチはオフする。具体的には例えば所定のキートップ８０−９に触れることによりその箇所の表示機能付タッチパネル１３０−９の表示が変化したり、機器の所定の動作が行われたりする。このスイッチ構造１−９の場合、各キートップ８０−９の間に形成されている溝状の凹部で各キートップ８０−９間の位置を指が確認して所定のキートップ８０−９を容易に確認できる。
【００８６】
一方表示機能付タッチパネル１３０−９に内蔵した（またはその下部に設置した）発光部によって表示機能付タッチパネル１３０−９を照光すれば、表示機能付タッチパネル１３０−９の表示部１３１−９はその表面側に明るく照らし出され、さらに透光性を有するキートップ８０−９を通してキートップ８０−９の表面に明るく照らし出される。このときこの表示付キートップ５０−９においては、表示部１３１−９を接着層９０−９を介在しないでキートップ８０−９の下面側に配置できるので、接着層９０−９の白濁や接着層９０−９による光の乱反射などが表示部１３１−９の表示に全く影響を与えることがなく、キートップ８０−９の下面側に配置した表示部１３１−９の表示を鮮明にキートップ８０−９の表面側に表示できてその装飾性を向上させることができる。
【００８７】
またこの表示付キートップ５０−９の場合、キートップ８０−９周囲の接着層９０−９が印刷層９３−９によって覆われるので接着層９０−９をキートップ８０−９の表面側から容易に隠すことができ、接着層９０−９がキートップ８０−９の表面に表れることもない（または目立たない）。
【００８８】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えば上記各例ではスイッチ１３（１３−２，４，６，７）を一枚の回路基板１１（１１−２，４，６，７）上に形成した一対のスイッチパターン上に反転板１５（１５−２，４，６，７）を取り付けることで構成しているが、このスイッチ１３（１３−２，４，６，７）は２枚の合成樹脂フイルムを重ね合わせて両合成樹脂フイルムにそれぞれ設けたスイッチパターンを隙間を介して対向させ、一方の合成樹脂フイルムに設けたスイッチパターンの裏面側に反転板を設置することで構成されるいわゆるメンブレンスイッチで構成しても良い。さらにスイッチはいわゆるタクトスイッチ等のような小型スイッチであっても良い。また表示部形成部材としては、上記各例の他に、液晶パネル、ＥＬシートなどがある。
【図面の簡単な説明】
【００８９】
【図１】表示付キートップ５０−１を用いたスイッチ構造１−１の概略側断面図である。
【図２】表示付キートップ５０−２を用いたスイッチ構造１−２の概略側断面図である。
【図３】表示付キートップ５０−３を用いたスイッチ構造１−３の概略側断面図である。
【図４】表示付キートップ５０−４を用いたスイッチ構造１−４の概略側断面図である。
【図５】表示付キートップ５０−５を用いたスイッチ構造１−５の概略側断面図である。
【図６】表示付キートップ５０−６を用いたスイッチ構造１−６の概略側断面図である。
【図７】空隙部１２０−６内に表示部形成フイルム６０−６を挿入する状態を示す概略側断面図である。
【図８】表示付キートップ５０−７を用いたスイッチ構造１−７の概略側断面図である。
【図９】表示付キートップ５０−８を用いて構成されるスイッチ構造１−８の概略側断面図である。
【図１０】表示付キートップ５０−９を用いて構成されるスイッチ構造１−９の概略側断面図である。
【符号の説明】
【００９０】
１−１〜１−９  スイッチ構造
１０，１０−２，４，６，７  スイッチ板
１３，１３−２，４，６，７  スイッチ
２１，２１−２，４，６，７  発光素子
３０，３０−２，４  ゴム状弾性板
５０−１〜５０−９  表示付キートップ
６０，６０−２，４，６，７  表示部形成フイルム（表示部形成部材）
６３，６３−２，４，６，７  表示用印刷層（表示部）
８０〜８０−９  キートップ
８３〜８３−３，６，７  つば部
８１〜８１−７  キートップ本体
８５，８５−３，６，７，８，９  フイルム板
９０〜９０−９  接着層
１３０−３，５，８，９  表示機能付タッチパネル（表示部形成部材）
１３１−３，５，８，９  表示部
９３−４，５  印刷層
１２０−６  空隙部
３０−６  ゴム状弾性板（キートップ取付部材）
１４０−７  キートップ取付板（キートップ取付部材）
１４１−７  開口部
【図１】
2009245757.tif 000003
【図２】
2009245757.tif 000004
【図３】
2009245757.tif 000005
【図４】
2009245757.tif 000006
【図５】
2009245757.tif 000007
【図６】
2009245757.tif 000008
【図７】
2009245757.tif 000009
【図８】
2009245757.tif 000010
【図９】
2009245757.tif 000011
【図１０】
2009245757.tif 000012